【手続補正書】
【提出日】平成25年8月5日(2013.8.5)
【手続補正１】
【補正対象書類名】特許請求の範囲
【補正対象項目名】全文
【補正方法】変更
【補正の内容】
【特許請求の範囲】
【請求項１】
立体画像を構築するための装置であって、
複数の行および列に配置された複数のピクセルを備える第１の画像をキャプチャするように構成された第１の画像センサと、
複数の行および列に配置された複数のピクセルを備える第２の画像をキャプチャするように構成され、前記第１の画像センサと離れて配置された第２の画像センサと、
少なくとも１つのコントローラと
を備え、前記少なくとも１つのコントローラは、
前記第１の画像の各行および列における各ピクセルの値を合計することによって、前記第１の画像センサのための１次元マッピングを生成し、
前記第２の画像の各行および列における各ピクセルの値を合計することによって、前記第２の画像センサのための１次元マッピングを生成し、
相互相関を判定するために、前記第１の画像センサのために生成された１次元マッピングを、前記第２の画像センサのために生成された１次元マッピングと比較し、
前記相互相関がしきい値を上回る場合、前記立体画像を構築するように構成された、装置。
【請求項２】
前記しきい値は９０パーセントであり、これによって、構築される前記立体画像について、前記第１の画像センサのための１次元マッピングと、前記第２の画像センサのための１次元マッピングとの間の相互相関が、９０パーセントを上回るようにされる、
請求項１に記載の装置。
【請求項３】
前記構築された立体画像を表示するための自動立体画像ディスプレイ（autostereoscopic display）をさらに備える請求項１に記載の装置。
【請求項４】
前記少なくとも１つのコントローラは、
前記第１の画像センサから取得されたデータの第１の列または行を合計することと、
前記第２の画像センサから取得されたデータの第２の列または行を合計することと、
前記第１および第２の合計された列または行の平均化された積を比較することと
によって、前記相互相関を判定するようにさらに構成された請求項１に記載の装置。
【請求項５】
前記立体画像は、立体映像の一部である請求項１に記載の装置。
【請求項６】
前記第１の画像センサからの画像データを格納する第１のバッファと、
前記第２の画像センサからの画像データを格納する第２のバッファとをさらに備え、
前記少なくとも１つのコントローラは、前記第１のバッファおよび前記第２のバッファから交互に画像データを受け取るように構成された請求項１に記載の装置。
【請求項７】
前記少なくとも１つのコントローラは、前記第１の画像センサおよび前記第２の画像センサからの画像データの列のための垂直方向１次元マッピングを提供するように構成された請求項１に記載の装置。
【請求項８】
前記少なくとも１つのコントローラはさらに、
垂直方向１次元マッピング・データを相関付け、
前記第１および第２の画像センサからの画像データの垂直マッピングの最大１次元相互相関に対応する垂直ミスマッチ・オフセットを見つけるように構成された請求項７に記載の装置。
【請求項９】
前記少なくとも１つのコントローラは、立体画像構築失敗があるかを判定するために、前記垂直ミスマッチ・オフセットを、前記しきい値と比較するように構成された請求項８に記載の装置。
【請求項１０】
前記少なくとも１つのコントローラは、前記第１および第２の画像センサによってキャプチャされた画像の黒サブトラクト、レンズ・ロール・オフ補正、チャネル利得調節、不良ピクセル補正、デモザイク、クロッピング、スケール、ホワイト・バランス、色補正、ｌｕｍａ適応、色変換、および画像コントラスト強調のうちの少なくとも１つを実行するように構成された請求項１に記載の装置。
【請求項１１】
前記第１の画像センサと前記第２の画像センサとは、約６ｃｍ離れて配置された請求項１に記載の装置。
【請求項１２】
前記第２の画像センサは、前記装置が低電力モードに入った場合に停止するように構成された請求項１に記載の装置。
【請求項１３】
前記装置はモバイル電話である請求項１に記載の装置。
【請求項１４】
無線通信を送信および受信するように構成されたトランシーバをさらに備える請求項１に記載の装置。
【請求項１５】
立体画像を構築する方法であって、
第１の画像センサを用いて複数の行および列に配置された複数のピクセルを備える第１の画像をキャプチャすることと、
前記第１の画像センサと離れて配置された第２の画像センサを用いて、複数の行および列に配置された複数のピクセルを備える第２の画像をキャプチャすることと、
前記第１の画像の各行および列における各ピクセルの値を合計することによって、前記第１の画像センサのための１次元マッピングを生成することと、
前記第２の画像の各行および列における各ピクセルの値を合計することによって、前記第２の画像センサのための１次元マッピングを生成することと、
相互相関を判定するために、前記第１の画像センサのために生成された１次元マッピングを、前記第２の画像センサのために生成された１次元マッピングと比較することと、
前記相互相関がしきい値を上回る場合、前記立体画像を構築することと
を備える方法。
【請求項１６】
前記構築された立体画像を立体画像ディスプレイ（stereoscopic display）で表示することをさらに備える請求項１５に記載の方法。
【請求項１７】
自動立体画像ディスプレイで直接的に視覚化される前記立体画像を準備することをさらに備える請求項１５に記載の方法。
【請求項１８】
複数の構築された立体画像から立体映像を生成することをさらに備える請求項１５に記載の方法。
【請求項１９】
前記相互相関は、
前記第１の画像センサから取得された画像データの第１の行または列を合計することと、
前記第２の画像センサから取得された画像データの第２の行または列を合計することと、
前記第１および第２の合計された行または列の平均化された積を比較することと
によって判定される請求項１５に記載の方法。
【請求項２０】
前記第１の画像センサから第１のバッファへ画像データを格納することと、
前記第２の画像センサから第２のバッファへ画像データを格納することと、
前記第１のバッファおよび前記第２のバッファから交互に画像データを読み取るためにダイバーシティ合成を実行することと
を備える請求項１５に記載の方法。
【請求項２１】
前記第１の画像センサのための１次元マッピングを生成することは、前記第１の画像の列における各ピクセルの値を合計することを備え、前記第２の画像センサのための１次元マッピングを生成することは、前記第２の画像の列における各ピクセルの値を合計することを備える請求項１５に記載の方法。
【請求項２２】
垂直方向１次元マッピング・データを相関付けることと、
前記第１および第２の画像センサからの画像データの垂直マッピングの最大１次元相関に対応する垂直ミスマッチ・オフセットを見つけることとをさらに備える請求項２１に記載の方法。
【請求項２３】
前記第１および第２の画像センサからの画像データを合成するためにダイバーシティ合成を使用することをさらに備える請求項２１に記載の方法。
【請求項２４】
前記ダイバーシティ合成を使用することは、
前記垂直ミスマッチ・オフセットを、前記第１の画像センサからの第１のピクセルの垂直インデクスと比較することと、
前記第１の画像センサからの第１のピクセルの垂直インデクスが、前記垂直ミスマッチ・オフセットよりも大きいのであれば、前記第１のピクセルを処理することと、
前記垂直ミスマッチ・オフセットを、前記第２の画像センサからの第２のピクセルの垂直インデクスと比較することと、
前記第２の画像センサからの第２のピクセルの垂直インデクスが、画像高さから前記垂直ミスマッチ・オフセットを引いたものよりも小さいのであれば、前記第２のピクセルを処理することと
を備える請求項２３に記載の方法。
【請求項２５】
立体画像構築失敗があるかを判定するために、垂直ミスマッチ・オフセットを、しきい値と比較することをさらに備える請求項２１に記載の方法。
【請求項２６】
前記立体画像を構築することは、前記第１および第２の画像センサによってキャプチャされた画像の黒サブトラクト、レンズ・ロール・オフ補正、チャネル利得調節、不良ピクセル補正、デモザイク、クロッピング、スケール、ホワイト・バランス、色補正、ｌｕｍａ適応、色変換、および画像コントラスト強調のうちの少なくとも１つを実行することを備える請求項１５に記載の方法。